(57)【要約】【構成】カメラ筐体は、光軸に直交する断面の輪郭をなす外側面を有する。外側面の輪郭の中心座標は、光軸と一致する。撮像装置は、撮像面が前方を向きかつ撮像面の中心が光軸と一致するようにカメラ筐体に収められる。カメラ筐体を支持するカメラホルダ５０において、リングＲＮＧ１は、光軸を回転軸としてカメラ筐体を回転するべくカメラ筐体の外側面に当接する内側面ＳＦ４を有する。また、ボルト５４は、リングＲＮＧ１の回転角度を所望の角度に固定するべく、リングＲＮＧ１に取り付けられる。【効果】使い勝手が向上する。【選択図】図４
2014119722.tif 000002
【特許請求の範囲】
【請求項１】
光軸に直交する断面の輪郭をなす外側面を有し、前記輪郭の中心が前記光軸と一致するカメラ筐体、および
撮像面が前方を向きかつ前記撮像面の中心が前記光軸と直交するように前記カメラ筐体に収められた撮像装置を備えるカメラを支持する着脱自在のカメラホルダであって、
前記光軸を回転軸として前記撮像装置を回転するべく前記外側面に当接する内側面を有する回転部材、および
前記回転部材の回転角度を所望の角度に固定する固定部材を備える、カメラホルダ。
【請求項２】
前記輪郭は真円をなし、
前記内側面は前記外側面を摺動する、請求項１記載のカメラホルダ。
【請求項３】
前記カメラは前記撮像面に光学像を収束させるレンズユニットを着脱自在に装着するべく前記カメラ筐体の前面に設けられたレンズマウントをさらに備える、請求項１または２記載のカメラホルダ。
【請求項４】
前記カメラはアクセサリに対して制御信号を出力する制御端子をさらに備え、
前記回転部材は、前記アクセサリを着脱自在に装着するアクセサリシュー、および前記制御端子から出力された制御信号を前記アクセサリに伝達する信号線を有する、請求項１ないし３のいずれかに記載のカメラホルダ。
【請求項５】
前記カメラは前記外側面に設けられた指標を有し、
前記回転部材は前記光軸を回転軸とした回転方向に沿って設けられた目盛りを有する、請求項１ないし４のいずれかに記載のカメラホルダ。
【請求項６】
三脚を取り付けるための取り付け部をさらに備える、請求項１ないし５のいずれかに記載のカメラホルダ。
【発明の詳細な説明】
【技術分野】
【０００１】
この発明は、カメラホルダに関し、特に光軸回り方向において回転可能にカメラを支持する、カメラホルダに関する。
【背景技術】
【０００２】
この種のカメラホルダの一例が、特許文献１に開示されている。この背景技術によれば、雲台は、撮像装置を支持する一対の支持部と、撮像装置および支持部をパン駆動可能に支持する基台部とによって形成される。また、撮像装置は、自身を回転させるための光軸回転駆動部を備える。
【先行技術文献】
【特許文献】
【０００３】
【特許文献１】特開２００７−１１４５０３号公報
【発明の概要】
【発明が解決しようとする課題】
【０００４】
しかし、背景技術では、雲台が撮像装置と一体であるため、使い勝手に限界がある。
【０００５】
それゆえに、この発明の主たる目的は、カメラの使い勝手を高めることができる、カメラホルダを提供することである。
【課題を解決するための手段】
【０００６】
この発明に従うカメラホルダ(10：実施例で相当する参照符号。以下同じ)は、光軸に直交する断面の輪郭をなす外側面を有し、輪郭の中心が光軸と一致するカメラ筐体、および撮像面が前方を向きかつ撮像面の中心が光軸と直交するようにカメラ筐体に収められた撮像装置を備えるカメラを支持する着脱自在のカメラホルダであって、光軸を回転軸として撮像装置を回転するべく外側面に当接する内側面を有する回転部材、および  回転部材の回転角度を所望の角度に固定する固定部材を備える。
【０００７】
好ましくは、輪郭は真円をなし、内側面は外側面を摺動する。
【０００８】
好ましくは、カメラは撮像面に光学像を収束させるレンズユニットを着脱自在に装着するべくカメラ筐体の前面に設けられたレンズマウントをさらに備える。
【０００９】
好ましくは、カメラはアクセサリに対して制御信号を出力する制御端子をさらに備え、回転部材は、アクセサリを着脱自在に装着するアクセサリシュー、および制御端子から出力された制御信号をアクセサリに伝達する信号線を有する。
【００１０】
好ましくは、カメラは外側面に設けられた指標を有し、回転部材は光軸を回転軸とした回転方向に沿って設けられた目盛りを有する。
【００１１】
好ましくは、三脚を取り付けるための取り付け部がさらに備えられる。
【発明の効果】
【００１２】
カメラ筐体の外側面の輪郭の中心は光軸と一致する。回転部材は、カメラ筐体の外側面に当接する内側面を有し、光軸を回転軸としてカメラ筐体を回転可能とする。これによって、カメラ筐体の回転に起因する光軸の変位を防止することができる。また、回転部材の回転角度は、固定部材によって所望の角度に固定される。これによって、使い勝手が向上する。
【００１３】
この発明の上述の目的，その他の目的，特徴および利点は、図面を参照して行う以下の実施例の詳細な説明から一層明らかとなろう。
【図面の簡単な説明】
【００１４】
【図１】この実施例におけるディジタルカメラの構成の一例を示すブロック図である。
【図２】（Ａ）はこの実施例のディジタルカメラを或る視点から眺めた状態の一例を示す斜視図であり、（Ｂ）はこの実施例のディジタルカメラを他の視点から眺めた状態の一例を示す斜視図である。
【図３】（Ａ）はこの実施例のレンズユニットを或る視点から眺めた状態の一例を示す斜視図であり、（Ｂ）はこの実施例のレンズユニットを他の視点から眺めた状態の一例を示す斜視図である。
【図４】（Ａ）はこの実施例のカメラホルダを或る視点から眺めた状態の一例を示す斜視図であり、（Ｂ）はこの実施例のカメラホルダを他の視点から眺めた状態の一例を示す斜視図であり、（Ｃ）はこの実施例のカメラホルダをその他の視点から眺めた状態の一例を示す斜視図である。
【図５】カメラホルダの一部を示す図解図である。
【図６】（Ａ）はレンズユニットおよびカメラホルダが装着されたディジタルカメラを或る視点から眺めた状態の一例を示す斜視図であり、（Ｂ）はレンズユニットおよびカメラホルダが装着されたディジタルカメラを他の視点から眺めた状態の一例を示す斜視図である。
【発明を実施するための形態】
【００１５】
図１を参照して、この実施例のディジタルカメラ１０は、着脱自在に装着されたレンズユニット４０を通してシーンを捉える撮像装置１２を含む。レンズユニット４０を経た光学像は撮像面で光電変換を施され、これによって光学像に対応する電荷が生成される。
【００１６】
電源が投入されると、ＣＰＵ２８は、動画取り込み処理を実行するべく、露光動作および電荷読み出し動作の繰り返しを撮像装置１２に命令する。この結果、撮像面で生成された電荷に基づく生画像データが撮像装置１２から繰り返し出力される。
【００１７】
信号処理回路１４は、撮像装置１２から出力された生画像データに色分離処理，白バランス調整処理およびＹＵＶ変換処理を施し、これによって生成されたＹＵＶ形式の画像データをメモリ制御回路１６を通してＳＤＲＡＭ１８の動画像エリア１８ｍに書き込む。ＬＣＤドライバ２０は、こうして得られた画像データをメモリ制御回路１６を通して動画像エリア１８ｍから読み出し、読み出された画像データに基づいてＬＣＤモニタ２２を駆動する。この結果、撮像面で捉えられたシーンを表すリアルタイム動画像（スルー画像）がモニタ画面に表示される。
【００１８】
信号処理回路１４で生成された画像データのＹ成分つまりＹデータは、ＣＰＵ２８にも与えられる。操作キー群３０に設けられたシャッタボタン３０ｓｈが非操作状態にあるとき、ＣＰＵ２８は、与えられたＹデータに基づいて適正露光時間を算出し、算出された適正露光時間を撮像装置１２に設定する。この結果、スルー画像の明るさが大まかに調整される。
【００１９】
シャッタボタン３０ｓｈが半押しされると、ＣＰＵ２８は、信号処理回路１４から与えられたＹデータに基づいて最適露光時間を算出し、算出された最適露光時間を撮像装置１２に設定する。これによって、スルー画像の明るさが厳格に調整される。
【００２０】
ＣＰＵ２８はまた、信号処理回路１４から与えられたＹデータの高周波成分に基づいてＡＦ処理を実行するべく、レンズユニット４０に制御信号を与える。レンズユニット４０は着脱自在であるため、制御信号は制御端子３２を介してレンズユニット４０に与えられる。レンズユニット４０に設けられたフォーカスレンズ４０ｆは、合焦点の探索のために光軸方向に移動し、これによって発見された合焦点に配置される。この結果、スルー画像の鮮鋭度が向上する。
【００２１】
シャッタボタン３０ｓｈが全押しされると、ＣＰＵ２８は、静止画取り込み処理を実行する。この結果、シャッタボタン３０ｓｈが全押しされた時点のシーンを表す１フレームの画像データが動画像エリア１８ｍから静止画像エリア１８ｓに退避される。退避が完了すると、ＣＰＵ２６は、記録処理の実行をメモリＩ／Ｆ２４に与える。メモリＩ／Ｆ２４は、静止画像エリア１８ｓに格納された１フレームの画像データをメモリ制御回路１６を通して読み出し、読み出された画像データをファイル形式で記録媒体２６に記録する。
【００２２】
着脱自在のカメラホルダ５０は、後述するアクセサリシュー５６を有する（図４（Ａ）〜図４（Ｂ）参照）。また、アクセサリシュー５６には、ストロボ装置などのアクセサリが装着される。このアクセサリを制御するとき、ＣＰＵ２８は、対応する制御信号を制御端子３４を介してカメラホルダ５０に与える。
【００２３】
図２（Ａ）および図２（Ｂ）を参照して、ディジタルカメラ１０は、筒状のカメラ筐体ＨＳ１を有する。筒の長さ方向に直交する断面の中心座標を筒の長さ方向に延びる光軸ＡＸ１を定義し、光軸ＡＸ１の一方端および他方端に正極および負極をそれぞれ割り当てると、カメラ筐体ＨＳ１の前面は光軸ＡＸ１の正極側を向き、カメラ筐体ＨＳ１の後面は光軸ＡＸ１の負極側を向く。カメラ筐体ＨＳ１の前面には真円形の開口ＯＰ１が形成され、開口ＯＰ１の輪郭に沿ってレンズマウント３６が設けられる。また、開口ＯＰ１の奥には、撮像面が光軸ＡＸ１の正極側を向く姿勢で、撮像装置１２が設けられる。このとき、開口ＯＰ１の中心座標および撮像面の中心座標は、光軸ＡＸ１の中心と一致する。
【００２４】
カメラ筐体ＨＳ１の前部には、外側面ＳＦ１が形成される。外側面ＳＦ１は、光軸ＡＸ１に沿って長さＬ１を有する。光軸ＡＸ１の正極側から眺めたとき、外側面ＳＦ１の輪郭は真円をなし、かつ真円の中心座標は撮像面の中心座標と一致する。制御端子３４は、外側面ＳＦ１の上部に設けられ、外側面ＳＦ１の上方に突出する。
【００２５】
外側面ＳＦ１よりも後方には、外側面ＳＦ２が形成される。外側面ＳＦ２は、光軸ＡＸ１に沿って長さＬ２を有する。光軸ＡＸ１の正極側から眺めたとき、外側面ＳＦ２の輪郭もまた真円をなし、かつ真円の中心座標も撮像面の中心座標と一致する。操作キー群３０は、このような外側面ＳＦ２に設けられる。
【００２６】
外側面ＳＦ１およびＳＦ２の間には、拡径部ＷＤ１が形成される。光軸ＡＸ１の正極側から眺めると、拡径部ＷＤ１の輪郭もまた真円をなし、この真円の中心座標も撮像面の中心座標と一致する。ただし、この輪郭は、外側面ＳＦ１およびＳＦ２のいずれの輪郭よりも大きい。こうして形成された拡径部ＷＤ１の上部には、カメラホルダ５０の回転角度を確認するための指標ＭＫ１が刻印される。
【００２７】
ＬＣＤモニタ２２は、カメラ筐体ＨＳ１の後面から光軸ＡＸ１の負極側に突出する。ＬＣＤモニタ２２の上面は外側面ＳＦ２と面一とされ、モニタ画面は光軸ＡＸ１の負極側を向く。
【００２８】
図３（Ａ）〜図３（Ｂ）を参照して、レンズユニット４０は、筒状に形成される。筒の長さ方向に直交する断面の中心座標を筒の長さ方向に延びるように光軸ＡＸ２を定義し、光軸ＡＸ２の一方端および他方端に正極および負極をそれぞれ割り当てると、レンズユニット４０の前面は光軸ＡＸ２の正極側を向き、レンズユニット４０の後面は光軸ＡＸ２の負極側を向く。レンズマウント３６と係合するガイド４２は、レンズユニット４０の後面に設けられる。
【００２９】
図４（Ａ）〜図４（Ｃ）を参照して、カメラホルダ５０は、貫通孔ＨＬ１をなすリングＲＮＧ１を有する。光軸ＡＸ３は、貫通孔ＨＬ１の中心座標を貫通孔ＨＬ１の長さ方向に沿って延びるように定義される。リングＲＮＧ１は光軸ＡＸ３に沿って幅Ｌ３を有し、この幅Ｌ３は上述した長さＬ１とほぼ一致する。また、貫通孔ＨＬ１の内径は、外側面ＳＦ１をなす輪郭の外径とほぼ一致する。
【００３０】
リングＲＮＧ１は、外側面ＳＦ３および内側面ＳＦ４を有する。外側面ＳＦ３には、カメラホルダ５０がディジタルカメラ１０に装着されたときのリングＲＮＧ１の回転角度を確認するための目盛りＧＲ１が刻印される。また、内側面ＳＦ４には、図２（Ａ）〜図２（Ｂ）に示す制御端子３４と嵌合する導電性の溝５２が全周にわたって形成される。
【００３１】
リングＲＮＧ１の上部にはアクセサリシュー５６が設けられ、アクセサリシュー５６の表面には溝５２と電気的に接続された制御端子５８が露出する。ディジタルカメラ１０から与えられた制御信号は、溝５２および制御端子５８を経てアクセサリに伝達される。リングＲＮＧ１の下部には、三脚を取り付けるためのネジ穴ＳＨ１を有する三脚取り付け部６０が設けられる。
【００３２】
リングＲＮＧ１は、光軸ＡＸ３軸の正極側から眺めて略Ｓ字を描くように、或る位置で切断される。図５を参照して具体的に説明すると、リングＲＮＧ１はまず、リングＲＮＧ１の厚みの２／３に相当する長さだけ、内側面ＳＦ４から外側面ＳＦ３に向かって切断される。切断方向はその後鋭角に折れ曲がり、リングＲＮＧ１は内側面ＳＦ３に向かって斜めに切断される。内側面ＳＦ３までの距離がリングＲＮＧ１の厚みの１／３になるまで切断されると、切断方向は径方向に変更され、変更後の切断方向は切断が外側面ＳＦ３に達するまで維持される。したがって、リングＲＮＧ１の両端は、リングＲＮＧ１の厚み方向において部分的に重なる。
【００３３】
リングＲＮＧ１の一方端にはリングＲＮＧ１の厚み方向に延びる貫通孔ＨＬ２が形成され、リングＲＮＧ１の他方端にはリングＲＮＧ１の厚み方向に延びる非貫通孔ＨＬ３が形成される。ここで、貫通孔ＨＬ２の内径は、非貫通孔ＨＬ３の内径よりも格段に大きい。また、非貫通孔ＨＬ３の内周面には雌ネジが切られる。ボルト５４は頭部５４ａおよび軸部５４ｂによって形成され、軸部５４ｂには非貫通孔ＨＬ３に切られた雌ネジと螺合する雄ネジが切られる。
【００３４】
ボルト５４を貫通孔ＨＬ２を通して非貫通孔ＨＬ３に挿入し、頭部５４ａを時計回り方向に捻ると、軸部５４ｂが非貫通孔ＨＬ３に埋没する。リングＲＮＧ１の厚み方向において対向する２つの切断面は互いに逆方向にスライドし、これによってリングＲＮＧ１が縮径される。これに対して、頭部５４ａを反時計回り方向に捻ると、軸部５４ｂが非貫通孔ＨＬ２から迫り出す。このとき、リングＲＮＧ１は復元力によって拡径する。
【００３５】
レンズユニット４０およびカメラホルダ５０は、図６（Ａ）〜図６（Ｂ）に示す要領でディジタルカメラ１０に装着される。レンズユニット４０は、ガイド４２がレンズマウント３６に係合することでディジタルカメラ１０に装着される。これによって、光軸ＡＸ３が光軸ＡＸ１と重なる。
【００３６】
また、カメラホルダ５０は、内側面ＳＦ４がディジタルカメラ１０の外側面ＳＦ１と当接するようにディジタルカメラ１０に装着される。これによって、光軸ＡＸ３が光軸ＡＸ１と重なる。制御端子３４は溝５２と係合し、内側面ＳＦ４は光軸ＡＸ１およびＡＸ３の周り方向において外側面ＳＦ１を摺動する。ボルト５４を締め付けるとリングＲＮＧ１が縮径し、内側面ＳＦ４と外側面ＳＦ１との摩擦力が増大する。光軸ＡＸ１およびＡＸ３の周り方向におけるカメラホルダ５０の回転は、摩擦力の増大によって制限される。
【００３７】
以上の説明から分かるように、カメラ筐体ＨＳ１は、光軸ＡＸ１に直交する断面の輪郭をなす外側面ＳＦ１を有する。外側面ＳＦ１の輪郭の中心座標は、光軸ＡＸ１と一致する。撮像装置１２は、撮像面が前方を向きかつ撮像面の中心が光軸ＡＸ１と一致するようにカメラ筐体ＨＳ１に収められる。カメラ筐体ＨＳ１を支持するカメラホルダ５０において、リングＲＮＧ１は、光軸ＡＸ１を回転軸としてカメラ筐体ＨＳ１を回転するべく外側面ＳＦ１に当接する内側面ＳＦ４を有する。また、ボルト５４は、リングＲＮＧ１の回転角度を所望の角度に固定するべく、リングＲＮＧ１に取り付けられる。
【００３８】
このように、外側面ＳＦ１の輪郭の中心座標は撮像面の中心座標と一致する。リングＲＮＧ１は、外側面ＳＦ１に当接する内側面ＳＦ４を有し、光軸ＡＸ１を回転軸としてカメラ筐体ＨＳ１を回転可能とする。これによって、カメラ筐体ＨＳ１の回転に起因する光軸の変位を防止することができる。また、リングＲＮＧ１の回転角度は、ボルト５４によって所望の角度に固定される。これによって、使い勝手が向上する。
【００３９】
なお、この実施例では、光軸ＡＸ１の正極側から眺めたとき、外側面ＳＦ１の輪郭は真円をなす。しかし、輪郭を囲む最小の真円の中心座標が撮像面の中心座標と一致する限り、輪郭は真円である必要はない。
【符号の説明】
【００４０】
１０  …ディジタルカメラ
４０  …レンズユニット
５０  …カメラホルダ
５２  …係合溝
５４  …ボルト
６０  …三脚取り付け部
【図１】
2014119722.tif 000003
【図２】
2014119722.tif 000004
【図３】
2014119722.tif 000005
【図４】
2014119722.tif 000006
【図５】
2014119722.tif 000007
【図６】
2014119722.tif 000008